(57)【要約】  強度およびイメージング特性を向上させた整形外科インプラントが、提供される。インプラントは、少なくとも一部が外側収容部材によって収容される内部コア部材を備え得る。内部コア部材は、向上された強度をインプラントに付与する第１の材料で形成されることができ、一方、外側収容部材は、向上されたイメージング特性をインプラントに付与する第２の材料で形成される。あるいは、インプラントは、第２の材料のコーティング層によってコーティングされた第１の材料で形成される単ピース部材を含み得る。
2015517389.tif 000002
【特許請求の範囲】
【請求項１】
整形外科インプラントであって、
近位端部および遠位端部を有するシャフトを備える内側部材であって、前記内側部材は、第１の材料で形成される内側部材と、
前記内側部材の少なくとも一部を収容する外側部材であって、前記外側部材は、第２の材料で形成される外側部材とを備え、
前記第１の材料は、前記第２の材料より高い強度を有する、整形外科インプラント。
【請求項２】
前記第１の材料が、コバルトクロムを含む、請求項１に記載のインプラント。
【請求項３】
前記第２の材料が、チタンを含む、請求項２に記載のインプラント。
【請求項４】
前記外側部材は、前記内側部材とは独立して形成され、前記内側部材の少なくとも一部に実質的に沿っている、請求項１に記載のインプラント。
【請求項５】
前記シャフトが、第１の直径を有する第１の部分および第２の直径を有する第２の部分を備え、前記第２の直径が、前記第１の直径より大きい、請求項１に記載のインプラント。
【請求項６】
前記外側部材が、前記内側部材上に成形される、請求項１に記載のインプラント。
【請求項７】
整形外科インプラントであって、
近位端部および遠位端部を有するシャフト部材を備える内側部材であって、前記シャフトは、ヘッド部材に遷移し、前記内側部材は、第１の材料で形成される内側部材と、
前記内側部材の少なくとも一部を収容する外側部材であって、前記外側部材は、前記内側部材とは独立して形成されている外側部材とを備え、
前記第１の材料は、強磁性を有し、前記第２の材料は、非強磁性である整形外科インプラント。
【請求項８】
前記内側部材の前記第１の材料が、前記第２の材料の前記引張り強度の少なくとも１．２倍の引張り強度を有する、請求項７に記載のインプラント。
【請求項９】
前記シャフト部材が、第１の直径を有する第１の部分および前記第１の部分とは異なる第２の直径を有する第２の部分を備える、請求項７に記載のインプラント。
【請求項１０】
前記シャフト部材が、近位端部から遠位端部まで一定の半径を有する、請求項７に記載のインプラント。
【請求項１１】
前記第１の材料が、コバルト合金を含み、一方、前記第２の材料が、チタン合金を含む、請求項７に記載のインプラント。
【請求項１２】
前記外側部材が、その上に形成されたねじ山を備える、請求項７に記載のインプラント。
【請求項１３】
整形外科インプラントであって、
内側部材であって、前記内側部材は、上面、下面、および前記上面と下面との間に形成される開口を備え、前記開口は、移植材料を受け容れるように構成され、前記内側部材は、第１の材料で形成されている内側部材と、
前記内側部材の少なくとも一部の上に形成された外側部材であって、前記外側部材は、前記移植穴を露出させたままにするように構成され、前記外側部材は、第２の材料で形成されている外側部材とを備え、
前記第１の材料は、前記第２の材料より高い強度を有する、整形外科インプラント。
【請求項１４】
前記上面および下面が、歯の形状の表層突起を備える、請求項１３に記載のインプラント。
【請求項１５】
前記インプラントは、凸面に対向する凹面を有する本体をさらに備える、請求項１３に記載のインプラント。
【発明の詳細な説明】
【発明の詳細な説明】
【０００１】
〔技術分野〕
本発明は、一般に、整形外科インプラントを対象とし、より詳細には、強度およびイメージング特性を向上させた整形外科インプラントを対象とする。
【０００２】
〔背景技術〕
骨疾患、外傷および骨折によって引き起こされる疼痛を軽減するために、多くの処置が存在する。治療を支援するために、外科的処置の際に骨ねじやスペーサなどのいくつかのインプラントが使用される。患者の安全性を確保するように改良されたインプラントの必要性が依然として存在する。
【０００３】
〔発明の概要〕
〔課題を解決するための手段〕
整形外科インプラントの各種の実施形態が提供される。一部の実施形態において、整形外科インプラントは、近位端部および遠位端部を有するシャフトを備える内側部材を備え、内側部材は、第１の材料で形成される。インプラントは、内側部材の少なくとも一部を収容する外側部材をさらに備え、外側部材は、第２の材料で形成される。第１の材料は、第２の材料より高い強度を有する。
【０００４】
他の実施形態では、整形外科インプラントは、近位端部および遠位端部を有するシャフト部材を備える内側部材を備え、シャフトは、ヘッド部材に遷移し、内側部材は、第１の材料で形成される。インプラントは、内側部材の少なくとも一部を収容する外側部材をさらに備え、外側部材は、内側部材とは独立して形成されている。第１の材料は、強磁性を有し、第２の材料は、非強磁性を有する。
【０００５】
他の実施形態では、整形外科インプラントは、内側部材を備え、内側部材は、上面および下面、および上面および下面の間に形成される開口を備える。開口は、移植材料を受け容れるように構成されている。インプラントは、内側部材の少なくとも一部の上に形成される外側部材をさらに備え、外側部材は、移植穴を露出させたままにするように構成されている。内側部材は、第１の材料で形成され、外側部材は、第２の材料で形成され、第１の材料は、第２の材料より高い強度を有する。
【０００６】
本発明は、添付の図面に示される実施形態を参照することにより、より容易に理解されるであろう。
【０００７】
〔発明を実施するための形態〕
以下、本発明の実施形態を記載する。以下の本発明の詳細な説明は、すべての実施形態を記載することを意図するものではない。本発明の実施形態の説明においては、明確さを期するために特定の用語を使用している。しかし、本発明は、そのように選択された特定の用語に限定されるように意図されていない。それぞれの特定の要素は、類似の方法で動作して類似の目的を達成するあらゆる技術的等価物を備えることを理解されたい。
【０００８】
本願は、強度およびイメージング特性を向上させた整形外科インプラントを記載する。一部の実施形態において、インプラントは複数のピースを備え、インプラントは、一部が外側容器部材によって収容される内側コア部材を備える。コア部材は、第１の材料で形成することができ、一方、容器部材は、第２の材料で形成することができる。一部の実施形態において、第１の材料は、強度の向上をインプラントに付与し、一方、第２の材料は、イメージング能の向上をインプラントに付与する。他の実施形態では、インプラントは、単ピース本体を備えており、インプラント本体の少なくとも一部をコーティングする独特のシールドまたはコーティング層を備える。インプラント本体は、インプラントの強度を向上させる第１の材料で形成することができ、一方、コーティングは、インプラントのイメージング能を向上させる第２の材料で形成することができる。
【０００９】
特定の工程および材料を組み合わせて、最適な強度およびイメージング能を備えるインプラントを形成することが可能なことが見出されている。例えば、コバルトクロムまたはコバルトクロム合金などの強度の高い生体適合材料で形成された内側コア部材と、チタンまたはチタン合金などのイメージングに好都合な材料で形成された外側容器部材を備える改良された固定ねじが、提供される。改良されたねじは、ねじの中に独特のねじを備える。このようなインプラントは、理想的な強度およびイメージング能を有し、このことにより、インプラントを使用する患者の安全性は非常に高まる。
【００１０】
強度およびイメージング特性を向上させた、本明細書に記載されている整形外科インプラントのうち、ねじ、ファスナおよびピンを備える固定装置は、複数の材料で形成される。このような固定装置は、骨折時に、外科的処置の際に他のインプラントを取り付けるねじ（例えば椎根ねじ）として使用される。破損および疲労に耐える強度、ならびに良好なイメージング特性を有する骨ねじを有することは、困難である可能性があることが明らかになった。本願は、複数の材料を容易に組み込み、それによって、第１の材料が、付加的な強度をインプラントに付与することができ、一方、第２の材料が、付加的なイメージング特性をインプラントに付与することができるように構成された独特の骨ねじを提供することによってこうした懸念を緩和する。例えば、ねじは、強度を付加するためにコバルトクロムまたはコバルトクロム合金で形成されたコア、ならびにイメージング能を向上させるためにチタンまたはチタン合金で形成された容器を備えることができる。
【００１１】
図１は、外側容器部材によってコーティングされた内側コア部材を備える多ピース骨ねじを示す。内側コア部材１２は、シャフト１８に取り付けられたヘッド１５を備える。外側容器部材２１は、内側コア部材１２の少なくとも一部の上に設けられ、それによって、ツーピース骨ねじを形成している。
【００１２】
ねじ１０の内側コア部材１２は、シャフト１８に遷移する丸みを帯びたヘッド１５を備える。一部の実施形態において、ヘッド１５は、ねじ１０を誘導して植設するための１つ以上の器具を受け容れる表面開口を備える。
【００１３】
有利には、一部の実施形態において、内側コア部材１２は、所望の強度をインプラントに付与する生体適合材料で形成することができる。材料は、コバルトクロムまたはコバルトクロム合金であってもよく、これらは、都合よく、丈夫で、かつ疲労耐性を有する。特定の生体適合材料には、コバルトクロムモリブデン（Ｃｏ−Ｃｒ−Ｍｏ）、コバルトニッケルクロミウムモリブデン（Ｃｏ−Ｎｉ−Ｃｒ−Ｍｏ）、ステンレス鋼、タンタルまたは他の強度の高い合金が含まれるが、これらに限定されるものではない。一部の実施形態において、内側コア部材１２の表面は、材料の強度を向上させるために表面硬化させてもよい。一部の実施形態において、内側コア部材１２は、少なくとも１００，０００ｐｓｉまたはさらに１３０，０００ｐｓｉの最大引張り強度を有することができる。一部の実施形態において、内側コア部材の最大引張り強度は、１３０，０００ｐｓｉから１７０，０００ｐｓｉの範囲に含まれてもよい。さらに、一部の実施形態において、内側コア部材１２は、６１０ＭＰａ（９０ｋｓｉ）で少なくとも１０，０００，０００サイクルの疲労限界を有していてもよい。
【００１４】
インプラントは、一部の内側コア部材１２を少なくともコーティングする外側容器部材２１をさらに備える。一部の実施形態において、外側容器部材２１は、内側コア部材１２の全部ではなく一部を収容する外板として機能している。例えば、外側容器部材２１は、内側コア部材１２のシャフト１８を収容ながらも、内側コア部材１２のヘッド１５を露出させたままにすることができる。他の実施形態では、外側容器部材２１は、ヘッド１５およびシャフト１８を備える内側コア部材１２全体を収容する外板またはケースとして機能している。一部の実施形態において、外側容器部材２１は、ねじ山を備える場合があり、他の実施形態では、部材２１にはねじ山が付いていない。外側容器部材２１は、内側コア部材１２の少なくとも一部の輪郭に実質的に類似していることができ、それによって、ねじの中に独特のねじが設けられる。一部の実施形態において、外側容器部材２１は、内側コア部材１２をその中に挿入するように開くことができる外板ケーシングであってもよい。他の実施形態では、外側容器部材２１は、内側コア部材１２の上に成形される。外側容器部材２１を形成するため、数多くの工程を提供することができる。こうした工程は、機械加工、ダイカスト、鍛造、粉末成形、ビーム溶融、射出成形およびレーザー成形を備えるが、これらに限定されるものではない。
【００１５】
有利には、一部の実施形態において、外側容器部材２１は、磁気共鳴映像法（ＭＲＩ）などのイメージングに適した生体適合材料で形成することができる。当該材料には、耐蝕性も有し得るチタンまたはチタン合金が含まれ得る。一部の実施形態において、内側コア部材１２は、外側容器部材２１より強度の高い材料で形成され、これにより、破損および疲労に耐えることができ、一方、外側容器部材２１は、内側コア部材１２と比べて、イメージングにより好都合であるので、ＭＲＩおよび他のイメージング工程におけるイメージングを向上させることが可能になる。例えば、ねじ１０の内側コア部材は、コバルトクロムまたはコバルトクロム合金で形成することができ、一方で、ねじ１０の外側容器部材がチタンまたはチタン合金で形成することができるので、有利な強度およびイメージング能を備える独特のインプラントを提供することができる。一部の実施形態において、外側容器部材２１は、１２５，０００ｐｓｉ以下またはさらに１００，０００ｐｓｉ以下の引張り強度を有していてもよい。有利に、一部の実施形態において、内側コア部材の引張り強度は、外側容器部材の引張り強度の１．２倍から１．４倍であり得る。内側コア部材が外側容器部材より高い強度を有する一方で、外側容器部材は、内側コア部材より大きなイメージング能を有することができる。例えば、一部の実施形態において、内側コア部材は、強磁性を有することができ、一方で、外側容器部材は、外側部材がより大きなイメージング能を（例えばＭＲＩにおいて）有するように非強磁性であり得る。
【００１６】
図２は、強度およびイメージング特性を向上させた代替骨ねじを示す。複数のピースで形成されている図１の骨ねじとは対照的に、図２の骨ねじ１０は、外側コーティングを備える単一のピース部材１２を備える。単ピース部材１２は、シャフト１８に遷移するヘッド１５を備える。コーティング層２６は、単ピース部材１２の少なくとも一部の上に設けられる。一部の実施形態において、コーティング層２６の材料は、単ピース部材１２の材料とは異なっている。単ピース部材１２は、強度の高い生体適合材料（例えばコバルトクロムまたはコバルトクロム合金）で形成することができ、一方、コーティング層２６は、チタンまたはチタン合金などのイメージングに好都合な材料で形成される。
【００１７】
一部の実施形態において、単ピース部材１２は、強度の高い生体適合材料で形成することができる。部材１２は、コーティング層２６でコーティングすることができる。一部の実施形態において、コーティング層２６は、部材１２の本体の材料とは異なる材料でできている。例えば、一部の実施形態において、単ピース部材１２は、コバルトクロムで形成することができ、一方、コーティング層２６は、チタンの層であってもよい。有利に、単ピース部材１２は、このように、強度をインプラントに付与することができ、一方、コーティング層２６は、有益なイメージング性能を付与することができる。一部の実施形態において、コーティング層２６は、チタンまたはチタン合金から構成されている。他の非限定的なコーティング材料としては、リン酸カルシウム、ＣａＰＯ４、炭酸カルシウム、ＣａＣＯ３、ハイドロキシアパタイト、および他の金属および合金をさらに挙げることができる。コーティング層２６を部材１２に塗布するのに、浸漬塗装、吹付け塗装、プラズマ被覆、フロー塗装および蒸気蒸着工程などのさまざまな手段を使用することができるが、これらに限定されるものではない。例えば、一部の実施形態において、チタンコーティングは、浸漬塗装工程を利用して単ピース部材１２に塗布される。
【００１８】
一部の実施形態において、コーティング層２６は、ヘッドおよびシャフトを備える単ピース部材１２の本体全体をコーティングしている。他の実施形態では、コーティング層２６は、単ピース部材１２の一部だけをコーティングしている。例えば、一部の実施形態において、コーティング層２６は、単ピース部材１２のヘッドをコーティングせずに、シャフトだけをコーティングしている。さらに、一部の実施形態において、コーティングを、部材１２の本体周辺に、控えめに、かつ明確なパターンで塗布することができる。例えば、コーティングを、部材１２の本体周辺に断続的にドットマークで塗布することができる。さらに、コーティングを、部材１２の円周周辺に筋状の線で塗布することができる。
【００１９】
図３は、強度およびイメージング特性を向上させた、多ピース二重直径ねじを示す。ねじ１１０は、外側容器部材および内側コア部材を備え、それによって、ねじの中にねじが形成される。ねじ１１０の内側コア部材１１２は、第１の直径を有する第１の部分１１５（例えば、先頭部分）および第２の直径を有する第２の部分１１７（例えば尾部分）を備える。二重直径ねじを設ける利点は、それを使用して、寸法や骨密度などの異なる特性を備える領域がある骨との確実な固定を形成することができることであり、それによって、ねじの先頭部分は、骨の第１の領域で受け取られ、ねじの尾部分は、第２の領域で受け取られる。図示のように、第１の部分１１５の直径は、第２の部分１１７の直径より小さい。ねじ１１０は、第２の部分１１７に接続して形成されているヘッド１１８をさらに備える。有利に、内側コア部材１１２は、コバルトクロム、コバルトクロムモリブデン、コバルトニッケルクロミウムモリブデン、ステンレス鋼、タンタルおよび他の強度の高い合金などの、強度の高い生体適合材料で形成することができるが、これらに限定されるものではない。
【００２０】
外側容器部材１２１は、内側コア部材１１２の少なくとも一部の上に形成される。一部の実施形態において、外側容器部材１２１は、内側コア部材１１２の本体全体を収容するように構成されている。一部の実施形態において、外側容器部材１２１は、内側コア部材１１２周辺の外板として独立して形成され、それによって、内側コア部材１１２をその中に設置することができる。他の実施形態では、外側容器部材１２１は、内側コア部材１１２の上に成形することができる。一部の実施形態において、外側容器部材１２１は、内側コア部材１１２に類似の幾何形状を有することになり、このことにより、有利に二重直径ねじの便益を維持している。さらに、外側容器部材１２１および／または内側部材１１２は、その上に形成されたねじ山を含み得る。図１の外側容器部材２１を形成することと併せて上述した工程のいずれかも、本明細書に適用してもよい。
【００２１】
一部の実施形態において、外側容器部材１２１は、チタンまたはチタン合金で形成される。一部の実施形態において、外側容器部材１２１は、内側コア部材１１２とは異なる材料でできている。一部の実施形態において、内側コア部材１１２は、外側容器部材１２１の材料よりも、高い強度（例えば引張り強度）を有する材料で形成することができ、一方、外側容器部材１２１は、強化されたイメージング性能をインプラントに付与し得る。一部の実施形態において、二重直径ねじの内側コア部材１１２は、ねじの強度を向上させるために、コバルトクロムまたはコバルトクロム合金で形成することができ、二重直径ねじの外側部材１２１は、ねじのイメージング特性を向上させるために、チタンまたはチタン合金で形成することができる。
【００２２】
図４は、強度およびイメージング性能を向上させた二重直径ねじを示す。ねじ１１０は、その上に外側コーティングが形成されている単ピース部材１１２を備える。単ピース部材１１２は、第１の直径を有する第１の部分１１５（例えば先頭部分）および第２の直径を有する第２の部分１７（例えば尾部分）を含んでおり、それによって、第２の直径は、第１の直径より大きい。コーティング層１２６は、単ピース部材１１２の少なくとも一部の上に形成される。コーティング層１２６は、浸漬塗装およびプラズマ溶射など上で説明した工程のいずれかで形成することができる。
【００２３】
一部の実施形態において、単ピース部材１１２の本体は、コーティング層１２６とは異なる材料でできている。例えば、一部の実施形態において、単ピース部材１１２は、コバルトクロムで形成することができ、一方、コーティング層１２６は、チタンまたはチタン合金であってもよい。一部の実施形態において、コーティング層１２６は、実質的に、部材１１２の本体全部に塗布されるが、他の実施形態では、コーティング層１２６は、部材１１２の選択された部分に非連続的に塗布される。例えば、コーティング層１２６は、二重直径ねじ本体周辺にスパイラル状または螺旋状に塗布してもよい、または、ねじの円周周辺に断続的に形成されるドット状に塗布してもよい。
【００２４】
上記のねじは、さまざまな処置で使用することができる。例えば、図５は、骨折で使用されたコーティング骨ねじを示し、一方、図６は、仙腸関節融合処置で使用されるコーティング骨ねじを示す。
【００２５】
図５では、強度およびイメージング特性を向上させたねじ１０を骨５に挿入して、骨折８の治療を支援している。ねじ１０は、シャフト１８を含み、その少なくとも一部は、金属コーティング２６にコーティングされている。シャフト１８は、金属コーティングとは異なる材料でできている。一部の実施形態において、シャフト１８は、コバルトクロムで形成され、一方、金属コーティング２６は、チタンで形成される。本体をコバルトクロムで形成することで、これは、埋め込み中またはその後にねじが破損する危険性を有利に減らし、チタンコーティングを有することで、インプラントのイメージング特性を向上させている。
【００２６】
図６では、強度およびイメージング特性を向上させた複数のねじ１０が、融合工程を支援するために、仙腸関節（ＳＩ＿関節）に挿入されている。それぞれのねじ１０は、金属コーティング２６でコーティングされたシャフトを備える。コーティング２６は、それぞれのねじのシャフトの一部のみの上に塗布されている。一部の実施形態において、ねじの本体は、上記のようにコーティングとは異なる材料で形成することができる。さらに、一部の実施形態において、複数のねじは、イメージング性能を選択区域にもたらすために、異なる区域でコーティングすることができる。
【００２７】
図７では、融合処置を支援する骨プレートを示す。骨プレート１３０は、上記のような１つ以上の改良された骨ねじを受け容れることができるいくつかの開口１３２を備える。骨プレート１３０は、頸部、胸部および／または腰部の１つ以上の椎体を横断して延在し、椎体を安定させるように構成されている。
【００２８】
図８は、その中に改良された骨ねじを受け容れている、図７の骨プレートを示す。骨ねじ１０は、強度およびイメージング特性を向上させるように構成されていて、内側コア部材１０およびその上に形成される外側容器部材２１を備える。骨ねじ１０は、開口１３２を通って骨プレート１３０に挿入され、１つ以上の椎体に挿入することができる。
【００２９】
本明細書に記載されている整形外科インプラントのうち、スペーサは、複数の材料で形成されている。スペーサは、椎間板腔に挿入され、疲労破壊を被る可能性のある耐荷重装置である。さらに、患者の中でスペーサの画像を生成することが困難な場合がある。こうした課題を緩和するため、本願は、強度およびイメージング特性を向上させたスペーサを提供する。スペーサは、複数の材料で形成され、それによれば、スペーサの第１の部分は、向上させた強度を付与する第１の材料で形成され、一方、スペーサの第２の部分は、向上させたイメージング特性を付与する第２の材料で形成される。スペーサの第１の部分は、コバルトクロムなどの強度の高い材料で形成することができ、スペーサの第２の部分は、チタンなどの異なる材料で形成することができる。
【００３０】
図９は、強度およびイメージング特性を向上させた多ピーススペーサを示す。スペーサ２００は、外側収容部材２２１によって部分的に収容された内側コア部材２０３を備える。内側コア部材２０３は、上面、下面、および上面と下面との間に延在する開口２０６を備える。スペーサ２００は、側窓２１５および挿入器具を受け容れる開口２０８をさらに備える。天然および／または合成の骨移植材料を、開口２０６を通して挿入することができる。歯または肋材などの表層突起２１８を上面および／または下面の上に形成して、隣接する脊柱の把持を支援している。
【００３１】
図９に示すように、スペーサ２００は、実質的に楔形の部材を備えていてもよいが、当業者であれば理解されるように、幾何形状は、これに限定されない。例えば、一部の実施形態において、スペーサは、凹面である前面および凸面である対向後面を含んでいてもよい。一部の実施形態において、上面および下面は、実質的に平行であるが、一方、他の実施形態では、一方が他方と角度を成していて、脊柱前弯症インプラントを形成している。
【００３２】
外側収容部材２２１は、内側コア部材２０３の少なくとも一部の周囲に形成される。一部の実施形態において、外側収容部材２２１は、内側コア部材２０３の一部のみをコーティングし、表層突起、窓および開口など、他の部分を露出させた状態に保持する。一部の実施形態において、外側収容部材２２１は、その中を通して内側コア部材２０３を挿入することができるケースを備えるが、他の実施形態では、外側収容部材２２１は、内側部材の周囲に成形される、または形成される。一部の実施形態において、スペーサ内側コア部材２０３は、第１の材料で形成することができるが、外側収容部材２２１は、第２の材料で形成される。一部の実施形態において、スペーサ内側コア部材２０３は、耐荷重強度のためにコバルトクロムなどの第１の材料から構成され、外側収容部材２２１は、イメージング性能を向上させるためにチタンなどの第２の材料から構成される。他の実施形態では、スペーサ内側コア部材２０３は、同種移植骨などの非金属材料で形成される。さらに、骨ねじの内側部材および外側部材に関して上で述べたものなど、他の材料もスペーサに塗布してもよい。
【００３３】
図８は、強度およびイメージング性能を向上させた代替スペーサを示す。従来のスペーサとは対照的に、本スペーサは、外側コーティング層によってコーティングされている内側本体２０３を備える。スペーサ２００は、図７のスペーサと類似する特徴を共有し、上面および下面、表層突起２１８、開口２０６、窓２１５および器具開口２０８を有する内側コア部材または本体２０３を備える。しかし、内側部材と外側部材を有するのではなく、本スペーサ２００は、内側コア部材２０３の少なくともいくつかの部分の上にコーティング層２２６が形成されている。一部の実施形態において、内側コア部材２０３は、耐荷重強度のためにコバルトクロムなどの第１の材料から構成され、コーティング層２２６は、イメージング性能を向上させるためにチタン混合物などの第２の材料から構成される。一部の実施形態において、スペーサを浸漬塗装の中に慎重に入れ、スペーサの一部をチタンでコーティングする。
【００３４】
本明細書に開示される本発明について、特定の実施形態およびその応用例を用いて説明したが、当業者であれば、本発明の範囲から逸脱することなく数多くの修正および変更を行うことができるであろう。
【図面の簡単な説明】
【００３５】
【図１】一部の実施形態に係る多ピース骨ねじである。
【図２】一部の実施形態に係る単ピース骨ねじである。
【図３】一部の実施形態に係る多ピース二重直径ねじである。
【図４】一部の実施形態に係る単ピース二重直径ねじである。
【図５】一部の実施形態に係る骨折で使用する骨ねじである。
【図６】一部の実施形態に係る仙腸関節融合処置で使用する骨ねじである。
【図７】一部の実施形態に係る骨プレートである。
【図８】一部の実施形態に係る図７の骨プレートと共に使用する、改良された骨ねじである。
【図９】一部の実施形態に係る多ピーススペーサである。
【図１０】一部の実施形態に係る単ピーススペーサである。
【図１】
2015517389.tif 000003
【図２】
2015517389.tif 000004
【図３】
2015517389.tif 000005
【図４】
2015517389.tif 000006
【図５】
2015517389.tif 000007
【図６】
2015517389.tif 000008
【図７】
2015517389.tif 000009
【図８】
2015517389.tif 000010
【図９】
2015517389.tif 000011
【図１０】
2015517389.tif 000012
【国際調査報告】
2015517389.tif 000013
2015517389.tif 000014
2015517389.tif 000015
2015517389.tif 000016